(57)【要約】【課題】幹線ケーブルに分岐ケーブルを接続する箇所に設置されるクロージャで、心線の切替接続を容易にし、障害が発生したときの障害探知を容易にする。【解決手段】防水ケース１４内に、第一のトレイ３８Ａと、第二のトレイ３８Ｂと、コネクタ結合用のアダプタ４２を支持するアダプタ支持体４０とを設置する。幹線ケーブル１０の光ファイバ心線２０にコネクタ付き光コード４４を接続して、その接続部４６を第一のトレイ３８Ａに収納する。分岐ケーブル１２の光ファイバ心線２８に他のコネクタ付き光コード５０を接続して、その接続部５２を第二のトレイ３８Ｂに収納する。幹線ケーブル側のコネクタ付き光コード４４のコネクタ４８Ａをアダプタ４２の片側に嵌合し、分岐ケーブル側のコネクタ付き光コード５０のコネクタ４８Ｂをアダプタ４２の反対側に嵌合する。【選択図】　　　図１
2004054148.tif 000002
【特許請求の範囲】
【請求項１】
幹線ケーブルに分岐ケーブルを接続する箇所に設置されるクロージャであって、
防水ケース内に、光ファイバ心線の接続部を収納する第一のトレイと、同じく光ファイバ心線の接続部を収納する第二のトレイと、コネクタ結合用のアダプタを支持するアダプタ支持体とを設置し、
幹線ケーブルの光ファイバ心線にコネクタ付き光コードを接続して、その接続部を前記第一のトレイに収納し、分岐ケーブルの光ファイバ心線に他のコネクタ付き光コードを接続して、その接続部を前記第二のトレイに収納し、
幹線ケーブル側のコネクタ付き光コードのコネクタを前記アダプタの片側に嵌合し、分岐ケーブル側のコネクタ付き光コードのコネクタを前記アダプタの反対側に嵌合するようにした、
ことを特徴とする分岐ケーブル接続部用クロージャ。
【請求項２】
幹線ケーブルに分岐ケーブルを接続する箇所に設置されるクロージャであって、
防水ケース内に、光ファイバ心線の接続部を収納するトレイと、コネクタ結合用のアダプタを支持するアダプタ支持体とを設置し、
幹線ケーブルの光ファイバ心線にコネクタ付き光コードを接続して、その接続部を前記トレイに収納し、
前記コネクタ付き光コードのコネクタを前記アダプタの片側に嵌合し、分岐ケーブルに予め設けられたコネクタ付き光コードのコネクタを前記アダプタの反対側に嵌合するようにした、
ことを特徴とする分岐ケーブル接続部用クロージャ。
【発明の詳細な説明】
【０００１】
【発明の属する技術分野】本発明は、光通信用の幹線ケーブルに分岐ケーブルを接続する箇所に設置されるクロージャに関するものである。
【０００２】
【従来の技術】幹線ケーブルに分岐ケーブルを接続する場合、従来は幹線ケーブルの光ファイバ心線と分岐ケーブルの光ファイバ心線を融着接続して、接続部をトレイ等に収納するのが一般的であった。
【０００３】
【発明が解決しようとする課題】しかしこのような構造では、心線の切替接続の必要が発生した場合に、その作業が面倒である。また通信回線に何らかの障害が発生した場合、その障害が幹線ケーブル側にあるのか分岐ケーブル側にあるのかを判別することが困難である。
【０００４】本発明の目的は、以上のような課題を解決した分岐ケーブル接続部用クロージャを提供することにある。
【０００５】
【課題を解決するための手段】この目的を達成するため本発明は、幹線ケーブルに分岐ケーブルを接続する箇所に設置されるクロージャにおいて、
防水ケース内に、光ファイバ心線の接続部を収納する第一のトレイと、同じく光ファイバ心線の接続部を収納する第二のトレイと、コネクタ結合用のアダプタを支持するアダプタ支持体とを設置し、
幹線ケーブルの光ファイバ心線にコネクタ付き光コードを接続して、その接続部を前記第一のトレイに収納し、分岐ケーブルの光ファイバ心線に他のコネクタ付き光コードを接続して、その接続部を前記第二のトレイに収納し、
幹線ケーブル側のコネクタ付き光コードのコネクタを前記アダプタの片側に嵌合し、分岐ケーブル側のコネクタ付き光コードのコネクタを前記アダプタの反対側に嵌合するようにした、
ことを特徴とするものである。
【０００６】また分岐ケーブルが予めコネクタ付き光コードを備えている場合には、前記第二のトレイを省略することができる。すなわち、本発明に係る分岐ケーブル接続部用クロージャは、
防水ケース内に、光ファイバ心線の接続部を収納するトレイと、コネクタ結合用のアダプタを支持するアダプタ支持体とを設置し、
幹線ケーブルの光ファイバ心線にコネクタ付き光コードを接続して、その接続部を前記トレイに収納し、
前記コネクタ付き光コードのコネクタを前記アダプタの片側に嵌合し、分岐ケーブルに予め設けられたコネクタ付き光コードのコネクタを前記アダプタの反対側に嵌合する、
という構成にすることもできる。
【０００７】
【発明の実施の形態】以下、本発明の実施の形態を、図面を参照して詳細に説明する。
【０００８】図１は本発明の一実施形態を示す。図において、１０は幹線ケーブル、１２は分岐ケーブル、１４はプラスチック製の防水ケース、１６は防水ケース１４内に設置された金属製のフレームである。防水ケース１４及びフレーム１６は幹線ケーブル１０を支持するメッセンジャワイヤ（図示せず）に支持されている。
【０００９】幹線ケーブル１０のクロージャ内に位置する部分では、シース１７を剥いで溝付きスペーサ１８を露出させ、分岐に使用する光ファイバ心線２０を溝付きスペーサ１８から取り出して、切断する。分岐しない光ファイバ心線は溝付きスペーサ１８に収納されたままクロージャを通過する。また分岐ケーブル１２の端部のクロージャに導入される部分は、シース２２を剥いで溝付きスペーサ２４及び抗張力線２６を所要長露出させ、光ファイバ心線２８を接続に必要な長さだけ取り出す。
【００１０】幹線ケーブル１０はシース１７の端部付近をクランプ３０によりフレーム１６の両端部に固定される。分岐ケーブル１２は、シース２２の端部付近をクランプ３２によりフレーム１６の一端側に固定され、抗張力線２６を引留金具３４で引き留められる。引留金具３４はアーム部材３６の先端に固定されるようになっており、アーム部材３６は溝付きスペーサ２４の裏側を通ってフレーム１６に予め固定されている。
【００１１】防水ケース１４内には、光ファイバ心線の接続部を収納する第一のトレイ３８Ａ及び第二のトレイ３８Ｂが長手方向に適当な間隔をおいて設置されている。第一のトレイ３８Ａ及び第二のトレイ３８Ｂはそれぞれ複数枚積層された状態で、図示しない支持金具によりフレーム１６に取り付けられている。またフレーム１６の長手方向中間部には、コネクタ結合用のアダプタ４２を支持するアダプタ支持体４０が固定されている。
【００１２】幹線ケーブル１０の分岐用の光ファイバ心線２０は光コード４４と接続され、その接続部４６は第一のトレイ３８Ａに収納される。この実施形態では光ファイバ心線２０及び光コード４４に４心のテープ心線を使用している。光コード４４は途中に４心から単心に分離する分離部４７を有しており、単心に分離された光コード４４の先端にはそれぞれコネクタ（例えばＳＣ型光コネクタ）４８Ａが取り付けられている。つまり光コード４４は先端にコネクタ４８Ａが取り付けられたコネクタ付き光コードの形態である。コネクタ４８Ａはアダプタ４２の片側に嵌合される。
【００１３】一方、分岐ケーブル１２側の光ファイバ心線２８には他の光コード５０が接続され、その接続部５２は第二のトレイ３８Ｂに収納される。この実施形態では分岐ケーブル１２側も光ファイバ心線２８及び光コード５０に４心のテープ心線を使用している。光コード５０は途中に４心から単心に分離する分離部５４を有しており、単心に分離された光コード５０の先端にはそれぞれコネクタ４８Ｂが取り付けられている。つまりこの光コード５０もコネクタ付き光コードの形態である。コネクタ４８Ｂはアダプタ４２の反対側に嵌合され、コネクタ４８Ａと結合される。
【００１４】以上のように、この実施形態のクロージャは、幹線ケーブル１０の光ファイバ心線２０にコネクタ４８Ａ付きの光コード４４を接続して、その接続部４６を第一のトレイ３８Ａに収納し、分岐ケーブル１２の光ファイバ心線２８にコネクタ４８Ｂ付きの光コード５０を接続して、その接続部５２を第二のトレイ３８Ｂに収納し、コネクタ４８Ａと４８Ｂを、アダプタ支持体４０に支持されたアダプタ４２に嵌合して結合するようになっている。このため、心線の切替接続の必要が生じた場合には、コネクタ４８Ａ、４８Ｂの挿抜により簡単に切替接続を行なうことができる。また回線障害が生じた場合には、コネクタ４８Ａ、４８Ｂを引き抜いてＯＴＤＲに接続することにより、障害が幹線ケーブル１０側で起きているのか、分岐ケーブル１２側で起きているのかを簡単に探知することができ、障害復旧作業を迅速に行なうことができる。さらに幹線ケーブル１０の管理者と分岐ケーブル１２の管理者が異なる場合に、幹線ケーブル１０側と分岐ケーブル１２側とをアダプタ支持体４０を境に分界することができ、管理責任の所在、資産の区分などを明確にすることができる。
【００１５】図２は本発明の他の実施形態を示す。この実施形態が図１の実施形態と異なる点は、分岐ケーブル１２の端部に、コネクタ４８Ｂ付きの光コード５０が予め設けられている（工場でそのように作られている）ことである。この場合は現場で分岐ケーブル１２の光ファイバ心線にコネクタ付きコードを接続する必要がないので、第二のトレイ３８Ｂ（図１参照）は不要であり、分岐ケーブル１２側はコネクタ４８Ｂをアダプタ４２に嵌合するだけでよい。上記以外の構成は図１の実施形態と同様であるので、同一部分には同一符号を付して説明を省略する。このような構成でも図１の実施形態と同様の効果を得ることができる。
【００１６】
【発明の効果】以上説明したように本発明によれば、クロージャ内にアダプタ支持体を設置し、このアダプタ支持体に支持されたアダプタに、幹線ケーブル側のコネクタ付き光コードのコネクタと、分岐ケーブル側のコネクタ付き光コードのコネクタを嵌合させることで、心線の分岐接続を行なうようにしたので、心線の切替接続の必要が生じた場合には、コネクタの挿抜により簡単に切替接続作業を行なうことができる。また回線障害が生じた場合には、コネクタを引き抜いてＯＴＤＲに接続することにより、障害が幹線ケーブル側で起きているのか、分岐ケーブル側で起きているのかを簡単に探知することができ、障害復旧作業を迅速に行なうことができる。
【図面の簡単な説明】
【図１】図１は本発明に係る分岐ケーブル接続部用クロージャの一実施形態を示す縦断面図。
【図２】同じく他の実施形態を示す縦断面図。
【符号の説明】
１０：幹線ケーブル
１２：分岐ケーブル
１４：防水ケース
１６：フレーム
２０：幹線ケーブル１０の光ファイバ心線
２８：分岐ケーブル１２の光ファイバ心線
３８Ａ：第一のトレイ
３８Ｂ：第二のトレイ
４０：アダプタ支持体
４２：アダプタ
４４：幹線ケーブル側の光コード
４６：接続部
４８Ａ、４８Ｂ：コネクタ
５０：分岐ケーブル側の光コード
５２：接続部
【図１】
2004054148.tif 000003
【図２】
2004054148.tif 000004